(57)【要約】雨天等における防水対策も考慮しつつ、圧倒的な軽量化と驚異的な通気性を実現する。帽体１０の前方の庇部１２には、前部通風口１３が水平方向に設けられ、庇部１２は、外気の導入が円滑に行われるように流線型の曲面で構成し、この庇部１２の上端１２ａを帽体１０の前部軒部１５が外側から非接触的に覆うようにして、前部通風口１３が形成されている。帽体１０の頂部後方位置にも、通風口１７が設けられる。前部通風口１３は主として外気の導入口として機能し、後部通風口１７は導入されかつ帽体１０内部に溜まった空気の排気口として機能する。【特許請求の範囲】
【請求項１】
帽体の庇部と該庇部の対向位置との各々に通風口を具えた保護帽であって、流線型の曲面で構成された前記庇部と、この庇部の上端を外側から非接触的に覆う帽体の軒部とによって前記庇部の通風口が形成されてなる保護帽。
【請求項２】
前記庇部の対向位置に具えられた通風口に、異物の遮蔽構造と雨仕舞が施されてなる請求項１記載の保護帽。
【請求項３】
前記庇部の対向位置が帽体の頂部後方である請求項１または２記載の保護帽。
【請求項４】
前記庇部の対向位置に具えられた通風口が、流線型の曲面で構成された後頭部と、この後頭部の先端を外側から非接触的に覆う帽体の軒部とによって形成されてなる請求項１〜３のいずれか記載の保護帽。
【請求項５】
前記庇部の通風口が、帽体の前方水平方向に具えられてなる請求項１〜４のいずれか記載の保護帽。
【請求項６】
中央部に開口を有するインナープレートが前記帽体頂部に内張りされてなり、この帽体頂部とインナープレート間に形成された通風路が前記庇部の対向位置に具えられた通風口に連通してなる請求項１〜５のいずれか記載の保護帽。
【請求項７】
前記インナープレートの前端部と庇部上端１２ａとを接続してなり、前記通風路が前記庇部の通風口に連通してなる請求項６記載の保護帽。
【請求項８】
帽体の庇部と帽体の頂部後方との各々に異物の遮蔽構造と雨仕舞が施された通風口を具えた保護帽において、中央部に開口を有する帯状のインナープレートが前記通風口を結んで帽体頂部に内張りされてなり、この帽体頂部とインナープレート間に形成された通風路が前記通風口に連通することを特徴とする保護帽。
【請求項９】
前記インナープレートの開口がその周辺よりも帽体の内面寄りに位置し、帽体頂部において該インナープレートと対向させて、帽体の内外面を貫通する複数の通気孔が前記開口と重ならない位置に穿設されてなる請求項６〜８のいずれか記載の保護帽。
【請求項１０】
前記インナープレートがその開口周縁に立設された堰を有する請求項９記載の保護帽。
【発明の詳細な説明】
【技術分野】
【０００１】  この発明は、建設作業、土木作業、その他あらゆる作業において、頭部防護のために着用される保護帽の構造に関するものである。
【背景技術】
【０００２】  各種作業現場や工場などにおいて、作業者は保護帽を頭部に着用することにより、物体の飛来または落下による危険を防止し、或いは、墜落による危険を未然に防止しているが、当該保護帽は、特に、夏期または労働量の激しい作業では、長時間の着用により、発汗作用で頭部を蒸らすことになる。この結果、これらの作業が不快なものとなるばかりでなく、作業能率も低下することとなる。【０００３】  保護帽に通気性を付与する試みとして、網または網状多孔性材を、欠如部分が交互配置となるように多層に成形した保護帽が公知である（特許文献１参照）。また、空気換気装置を用いて作業用ヘルメット、乗物用ヘルメット等に通気性を付与しようとする試みも行われている（特許文献２、３等参照）。しかしながら、これらの保護帽には屋外で使用する際の雨対策が全く考慮されていない。
通気性を有し、雨対策が施されたヘルメットも一部開示されてはいるものの（特許文献４参照）、当該考案は帽体の側部に小孔が穿設されているために、飛来物または落下物の進入の虞があると共に強度的にも十分でなく、頭部を保護するというヘルメット本来の目的を達成することができない。また、当該ヘルメットでは前屈みの状態で作業等を行う場合には、ヘルメット内部に雨水が浸入し、雨対策としても不十分である。【０００４】  本発明者等は先に、通気性および雨対策を施した保護帽として二重構造の帽体からなる保護帽を提案したが（特許文献５参照）、当該保護帽は二重構造を採用した結果、重量の増加を避けることができない。次に、本発明者等は、帽体にその内外壁を貫通する導気孔を形成し、該導気孔から帽体内部に浸入する水を帽体外部に排出するための排水路を帽体の内壁に沿って設けてなり、該排水路の排水方向直角断面において上部側に通気孔を形成したことを特徴とする保護帽を提案した（特許文献６参照）。当該保護帽は軽量で、雨対策に優れているものの、通気性の点では未だ改善の余地が残されていた。続いて、本発明者等は、帽体内部の左右側部に、外気が前後方向に流れ且つ雨仕舞が施された流通路を形成し、該流通路と帽体内部とを帽体頂部にて連通させてなる保護帽を提案しているが（特許文献７参照）、この保護帽においても依然として軽量化の点が隘路となっている。【０００５】
【特許文献１】実開昭６０−１４３７３６号公報
【特許文献２】実開昭５８−７８３２号公報
【特許文献３】実開平１−９４４３０号公報
【特許文献４】実公昭４２−２０１０８号公報
【特許文献５】国際公開ＷＯ９５／２８１０１公報
【特許文献６】国際公開ＷＯ９８／２３１７６公報
【特許文献７】特開２０００−３０３２４６号公報
【発明の開示】
【発明が解決しようとする課題】
【０００６】  本発明は、雨天等における防水対策も考慮しつつ、圧倒的な軽量化と驚異的な通気性を実現した保護帽を提供することを目的としたものである。
【課題を解決するための手段】
【０００７】  本発明の保護帽は、帽体の庇部と該庇部の対向位置との各々に通風口を具えた保護帽であって、流線型の曲面で構成された前記庇部と、この庇部の上端を外側から非接触的に覆う帽体の軒部とによって前記庇部の通風口が形成されてなることを特徴とする。
前記庇部の対向位置に具えられた通風口に、異物の遮蔽構造と雨仕舞が施されてなることが好ましい。
前記庇部の対向位置は帽体の頂部後方であることが好ましい。
前記庇部の対向位置に具えられた通風口が、流線型の曲面で構成された後頭部と、この後頭部の先端を外側から非接触的に覆う帽体の軒部とによって形成されてなることが好ましい。
前記庇部の通風口は帽体の前方水平方向に具えられてなることが好ましい。【０００８】  中央部に開口を有するインナープレートが前記帽体頂部に内張りされてなり、この帽体頂部とインナープレート間に形成された通風路が、前記庇部の対向位置特に前記頂部後方位置に設けられた通風口に連通してなることが好ましい。
前記インナープレートの前端部と前記庇部の上端とを接続してなり、前記通風路が前記庇部の通風口に連通してなることが好ましい。【０００９】  本発明の保護帽は、帽体の庇部と帽体の頂部後方との各々に異物の遮蔽構造と雨仕舞が施された通風口を具えた保護帽において、中央部に開口を有する帯状のインナープレートが前記通風口を結んで帽体頂部に内張りされてなり、この帽体頂部とインナープレート間に形成された通風路が前記通風口に連通することを特徴とするものである。【００１０】  前記インナープレートの開口はその周辺よりも帽体の内面寄りに位置し、帽体頂部において該インナープレートと対向させて、帽体の内外面を貫通する複数の通気孔が前記開口と重ならない位置に穿設されてなることが好ましい。
前記インナープレートはその開口周縁に立設された堰を有することが好ましい。
【発明の効果】
【００１１】  本発明による保護帽によれば、流線型の曲面で構成された庇部に沿って大量の外気を帽体内に導入させることにより、雨天等に対する防水対策を考慮した上で、圧倒的な軽量化と驚異的な通気性を実現することができる。
また、インナープレートを帽体頂部に内張りした保護帽によれば、前記した効果に加えて、成型加工を容易にすることができる。さらに、帽体頂部にも通気孔を穿設することにより、通気性を飛躍的に向上させ得るものである。
【図面の簡単な説明】
【００１２】
【図１】帽体の前方斜め上方から見た斜視図である。
【図２】上記帽体の中央部を前後方向に縦断して示す側面図である。
【図３】上記帽体の背面図である。
【図４】帽体の変形例を示す斜視図である。
【図５】帽体の他の変形例を示す縦断側面図と、インナープレートの平面図である。
【図６】帽体の他の変形例を示す縦断側面図と、インナープレートの平面図である。
【符号の説明】
【００１３】１０        帽体
１２        庇部
１２ａ      庇部上端
１３、１７  通風口
１５、１９  軒部
１８        後頭部
１８ａ      後頭部上端
２０        インナープレート
２１        開口
２２        堰
２５        通風路
２７        通気孔
【発明を実施するための最良の形態】
【００１４】  以下、本発明に係る保護帽の最良の形態を図面に基づいて説明する。
図１は、保護帽の主体を構成する帽体１０の前方斜め上方から見た斜視図であって、通常その内部には、帽体１０に加えられた衝撃を緩和するための衝撃吸収ライナー、保護帽を頭部に保持すると同時に被り易くするための着装体（ハンモック、ヘッドバンド、環紐などからなる）、および脱落防止用の顎ひもが備えられる。
帽体１０の材質としては、ポリエステル、ポリプロピレン、ポリエチレン、ポリカーボネート、ＡＢＳ樹脂などの合成樹脂を用いることができる。また、強度を重視する場合には、鉄、鋼、アルミニウム、アルミニウム合金、その他高強度合金も使用可能であり、保護帽が使用される用途によっては、繊維強化プラスチック製、セラミック製とすることもできる。【００１５】  帽体１０の前方の庇部１２には、前部通風口１３が水平方向に設けられている。前部通風口１３の水平方向の長さは帽体１０の半径以上とすることが望ましい。また、前部通風口１３は必ずしも１つと限らず、複数個設けるときには当該複数個の合計長さが帽体１０の半径以上となるようにすることが好ましい。水平方向の長さの上限は帽体１０の直径程度となる。庇部１２は、外気の導入が円滑に行われるように流線型の曲面で構成し、この庇部１２の上端１２ａを帽体１０の前部軒部１５が外側から非接触的に覆うようにして、前部通風口１３が形成されている。【００１６】  図２は前記帽体１０の中央部を前後方向に縦断して示す側面図であり、同図に示すように、庇部１２の上端１２ａと前部軒部１５の下端部とは、水平方向において重なり合っているために、外部から番線、その他、帽体１０の内部に進入する可能性のある落下物や飛来物に対する遮蔽構造の役割を果たしている。庇部上端１２ａと前部軒部１５の下端部との距離は、前記した異物の遮蔽効果と雨仕舞が充足される限りにおいて、可及的に長くすることが通気性を高める上で好ましい。【００１７】  帽体１０の庇部１２と対向する位置にも、通風口１７が設けられ、本実施形態では帽体１０の頂部後方に設けられる。前部通風口１３が主として外気の導入口として機能するのに対して、後部通風口１７は導入されかつ帽体１０内部に溜まった空気の排気口として機能することが求められることから、庇部１２と対向する位置、特に、帽体１０の頂部後方位置とすることが好ましい。【００１８】  本実施形態では後部通風口１７も、前部通風口１３と同様に、流線型の曲面で構成された帽体１０の後頭部１８と、この後頭部の上端１８ａを外側から非接触的に覆う帽体１０の後部軒部１９とによって形成された結果、異物の遮蔽構造と雨仕舞が施された構造となっている。なお、本発明の保護帽において、後部通風口１７は異物の遮蔽構造と雨仕舞が施されていれば、この構造に限られない。【００１９】  図３は前記帽体１０の背面図であり、前記した後部通風口１７が図示されている。
本発明では、前部通風口１３と後部通風口１７とが外気に開放されているので、帽体１０内には外気が流通する。特に、流線型の曲面で構成された庇部１２に沿って帽体内に導入される大量の外気が、帽体の内壁面に沿って後部通風口１７に方向付けされ、分散されずに流通する結果、帽体１０の内部に貯留し易い蒸れた空気も、この外気流に同伴されて瞬時に帽体外部に排気される。また、本発明の保護帽の構造によれば、前部通風口１３から流入する大量の外気は、保護帽装着者の頭部において最も冷気に敏感な部位である額に直接接触することになるので、冷却効果が体感上極めて優れている。【００２０】  図４は帽体の変形例を示す斜視図である。同図左側には、水平方向の長さが帽体半径より若干短い前部通風口１３を備えた実施形態が示されており、同図右側には、短い庇部１２を有する実施形態が示されている。【００２１】  本発明の帽体１０は金型により成型することができ、一回の成型で製造が困難な場合には、複数の部材に分けて成型加工することもできる。例えば、後部通風口１７の形成が一回の成型では困難であれば、図５に示すような帽体１０とすることもできる。
図５に縦断側面図を以って示す帽体１０の実施形態では、インナープレート２０が帽体１０の頂部に内張りされている。インナープレート２０は、帽体１０の上方に平面図として表したように、帽体の前後方向に細長い形状とし、中央部に大きな開口２１を設ける。このようにして帽体１０の頂部とインナープレート２０間に形成された通風路２５と、帽体１０の内部とは、開口２１により連通し、同時に、通風路２５は後部通風口１７に連通する。【００２２】  インナープレート２０は最も強度が重要視される帽体１０の頂部を補強する効果を有しているけれども、可及的に小片として、軽量化を最大限に図ることが望ましい。
前記したように後部通風口１７は、異物の遮蔽構造と雨仕舞が施されていることが重要である。本実施形態ではインナープレート２０において、開口２１の周縁に堰２２を立設させることにより、異物に対する遮蔽構造としている。開口２１はその周辺よりも帽体の内面寄りに位置させ、例えば、インナープレート２０の表面に凹凸部を形成し、開口２１が高位置となるように配置することが重要である。【００２３】  本実施形態では、通気性を向上させるために帽体１０の頂部においてその内外面を貫通する複数の通気孔２７、２７・・・を穿設している。通気孔２７、２７・・・は、インナープレート２０の平面図において点線で示すように、インナープレート２０と対向させ且つその開口２１と重ならない位置に穿設する。両者を重ならないように配置するのは、前記した異物に対する遮蔽対策と雨水等の防水対策である。【００２４】  通気孔２７、２７・・・の大きさについては特に制限はなく、帽体１０の強度を維持することができる程度の大きさであれば良い。通気孔２７、２７・・・の数はインナープレート２０と対向させて、開口２１の周囲に数個〜十数個程度とすることが好ましい。最下部の通気孔２７は排水孔としても機能する。通気孔２７、２７・・・の形状は、図示したような円形に限られない。
図５に示す実施形態によれば、前後部の通風口１３、１７と通気孔２７、２７・・・との働きにより、驚異的な通気性が達成される。なお、図１〜図３に示した実施形態と同一の部材には、それと同一の符号を付して説明を省略する。【００２５】  図６に縦断側面図を以って示す帽体１０の実施形態は、図５に示す実施形態の変形例であり、前記帯状のインナープレート２０の前端部と庇部上端１２ａとを接続することにより、庇部１２はインナープレート２０の一部として構成されている。本実施形態によれば、通風路２５が庇部１２の通風口１３と直接連通することとなり、帽体内にはその内壁面に沿った一層強力な外気流が形成されることになる。また、本実施形態では庇部１２の通風口１３から外気の導入が円滑に行われ得るので、庇部１２は必ずしも流線型の曲面に限られず、平面で構成することも可能である。【００２６】  本実施形態においては、通風路２５内に浸入した雨水は通風口１３、１７から外部へ排出される。また、開口２１は１つに限らず複数個設けてもよい。その他、図６に示す実施形態において図５に示す実施形態と同一の部材には、それと同一の符号を付して説明を省略する。【００２７】  上述した保護帽の全てについて、労働大臣が定める規格（１９９１年６月５日付の労働省告示第３９号）による耐貫通試験（第６条および第７条）と衝撃吸収試験（第８条）を行ったところ、それぞれ同条所定の性能が得られた。
【産業上の利用可能性】
【００２８】  本発明の保護帽は、種々の建設作業や土木作業、重機操作、作業用車両、船舶、航空機の運転、建物内外における警備、警察、消防等の作業に対して使用することができる。また、建築物やダム等の建設現場、道路やトンネル等工事現場、造船所、製鉄所、鉄工所、鉱石採取場、その他の各種作業現場や工場等において、幅広く使用することができるものである。
【図１】
2005006901.tif 000002
【図２】
2005006901.tif 000003
【図３】
2005006901.tif 000004
【図４】
2005006901.tif 000005
【図５】
2005006901.tif 000006
【図６】
2005006901.tif 000007
【国際調査報告】
2005006901.tif 000008
2005006901.tif 000009
2005006901.tif 000010
2005006901.tif 000011